(57)【要約】【課題】  手軽な入力手段によって健康情報を入力でき、蓄積された健康に関する情報に基づいて、自身の体調の変化を認識でき、体調の変化に対する対処法を提供することで病気の予防に貢献する健康情報管理方法及びそのシステムを提供すること。【解決手段】  回線に接続された利用者に身近なデバイスであるＰＤＡ（Personal Digital Assistant）や携帯電話などの携帯端末を用いて入力した健康情報を、健康情報管理装置に蓄積し、この蓄積された健康情報から、利用者ごとの体調の変化の傾向を分析して、健康に関するルールを作成し、利用者が健康に関する情報を入力する度に、利用者の携帯端末に、この健康に関するルールを送信することを解決手段とする。【選択図】          図１
2005045696.tif 000002
【特許請求の範囲】
【請求項１】
利用者の複数の項目からなる健康情報を、携帯端末を利用して前記健康情報を蓄積する健康情報管理装置に送信して管理する健康情報管理方法であって、
前記携帯端末から、前記健康情報管理装置において管理する健康情報の項目と該項目の入力頻度とを設定し、
前記設定に従って、前記携帯端末に入力されて、前記健康情報管理装置に送信された健康情報を、前記健康情報管理装置が蓄積すること、
を特徴とする健康情報管理方法。
【請求項２】
前記健康情報管理装置は、蓄積した健康情報を統計処理して、前記利用者の健康に関するルールを作成し、このルールを蓄積すること、
を特徴とする請求項１に記載の健康情報管理方法。
【請求項３】
前記健康情報管理装置は、前記利用者が前記携帯端末に入力して、前記健康情報管理装置に送信した健康情報が、予め設定した数値に合致した場合又は超過した場合に、前記携帯端末に警告メッセージを送信すること、
を特徴とする請求項２に記載の健康情報管理方法。
【請求項４】
前記健康情報管理装置は、入力された前記健康情報を、前記携帯端末から受信すると、蓄積された健康情報を集計した情報を、前記携帯端末に送信すること、
を特徴とする請求項３に記載の健康情報管理方法。
【請求項５】
前記健康情報管理装置は、入力された前記健康情報を、前記携帯端末から受信すると、該健康情報に関連する前記利用者の健康に関するルールを検索して前記携帯端末に送信すること、
を特徴とする請求項４に記載の健康情報管理方法。
【請求項６】
前記健康情報管理装置は、前記携帯端末から、健康情報の入力を促す情報を送信する設定を行うと、前記入力頻度に基づいて、前記携帯端末に健康情報の入力を促す情報を送信すること、
を特徴とする請求項５に記載の健康情報管理方法。
【請求項７】
前記健康情報管理装置は、前記携帯端末から、健康情報の参照を要求する情報を受信すると、蓄積された健康情報を集計した情報とを、前記携帯端末に送信すること、
を特徴とする請求項６に記載の健康情報管理方法。
【請求項８】
利用者の複数の項目からなる健康情報を、携帯端末を利用して前記健康情報を蓄積する健康情報管理装置に送信して管理する健康情報管理方法であって、
前記健康情報は、前記利用者の体を計測して得られる１以上の生体情報と、前記利用者の生活状況を表す１以上の生活情報を含み、
前記健康情報管理装置は、前記生活情報を入力変数とし、前記生体情報の１つをターゲット変数として前記利用者ごとの前記生体情報の決定木を出力して健康に関するルールを作成し、前記携帯端末に送信すること、
を特徴とする健康情報管理方法。
【請求項９】
利用者の複数の項目からなる健康情報を、携帯端末を利用して前記健康情報を蓄積する健康情報管理装置に送信して管理する健康情報管理方法であって、
前記健康情報は、利用者自身の計測される１以上の生体情報と、利用者の生活状況を表す１以上の生活情報を含み、
１以上の前記生体情報の組合せを前提部、１以上の前記生活情報の組合せを結論部とする相関ルールを導出して健康に関するルールを作成し、前記携帯端末に送信すること、
を特徴とする健康情報管理方法。
【請求項１０】
前記健康情報管理装置は、前記携帯端末に入力された前記利用者の個人情報を受信すると、前記個人情報に基づいて、年齢及び性別に応じた健康情報の標準の入力項目の一覧を含んだ表示画面を前記携帯端末に送信し、
前記携帯端末から、前記利用者の入力項目を選択する情報を受信すると、入力項目ごとの設定を入力する表示画面を前記携帯端末に送信すること
を特徴とする請求項８又は請求項９に記載の健康情報管理方法。
【請求項１１】
前記健康情報管理装置は、前記携帯端末から健康情報の参照を要求する情報を受信すると、蓄積された健康情報の項目の一覧を含む表示画面を前記携帯端末に送信し、
前記携帯端末から、健康情報の項目を選択する情報を受信すると、蓄積された健康情報の中から選択された項目の情報を集計したグラフと、選択された項目に関連する健康に関するルールとを含む画面を前記携帯端末に送信すること、
を特徴とする請求項１０に記載の健康情報管理方法。
【請求項１２】
前記健康情報管理装置は、前記携帯端末から、前記グラフのスケールを変更する情報を受信すると、蓄積された健康情報の項目の情報に基づいて、集計の対象期間を変更したグラフを含んだ画面を、前記携帯端末に送信すること、
を特徴とする請求項１１に記載の健康情報管理方法。
【請求項１３】
利用者が使用する携帯端末と、前記携帯端末に入力された複数の項目からなる健康情報を、回線を介して受信し、データベースに蓄積する健康情報管理装置と、を含んで構成された健康情報管理システムであって、
前記健康情報管理装置は、蓄積された前記健康情報を統計処理して、前記健康情報の項目間の相関を表す健康に関するルールを導出し、
前記携帯端末から、新たに健康情報を受信すると、該健康情報に関連のある健康に関するルールを検索し、前記携帯端末に送信するように構成したこと、
を特徴とする健康情報管理システム。
【発明の詳細な説明】
【技術分野】
【０００１】
本発明は、利用者の健康情報を管理する健康情報管理方法及びそのシステムに関する。
【背景技術】
【０００２】
定期健康診断や人間ドックで得られる個人の健康に関する情報、すなわち健康情報は、定期健康診断や人間ドックを実施した時点のみを切り取ったデータである。しかしながら人間の体は恒常性維持（ホメオスタシス）の働きにより、変調と自然治癒とを繰り返しており、この変調と自然治癒とのループから外れたものが病気であるため、定期健康診断や人間ドックで得られた情報だけで病気を発見することは不十分といえる。したがって、日常の生活環境における健康情報の変動や、ある一定期間の健康情報の平均値の推移に注目することで、生活習慣病を予防し、病気の早期発見を図れる可能性がある。
【０００３】
しかしながら、日常生活で変化する健康情報を、記録用紙に記録したり、専用の端末装置に入力したりする作業は労力が必要であり、長続きしないという問題があった。
【０００４】
これらの事情に鑑み、特許文献１には、利用者に装着された測定装置によって測定される健康情報を、健康管理情報センタで管理し、要求された健康情報を利用者へ提供して利用者の健康管理を支援する健康情報管理方法が提案されている。
【特許文献１】特開２００２−２４５１７７号公報（請求項１、図１）
【発明の開示】
【発明が解決しようとする課題】
【０００５】
しかしながら、特許文献１に記載の健康管理方法は、専用の測定装置を用いるため、健康に関する情報の入力の容易さという観点からは有用であるが、測定装置を別途購入などして入手する必要があり、また、測定装置を身に付けることで入浴や運動時などの日常生活に支障が出る可能性もあった。また、特許文献１に記載の健康管理情報センタは、蓄積される健康に関するデータの集計結果を表示することや、予め設定された設定値を超えた場合に警告を出すといった機能は有するものの、一般の利用者がこの健康に関するデータを見ただけでは、このような警告に、どのように対処すればいいのかわからなかった。
【０００６】
従って本発明の課題は、手軽な入力手段によって健康情報を入力でき、蓄積された健康に関する情報に基づいて、自身の体調の変化を認識でき、体調の変化に対する対処法を提供することで病気の予防に貢献する健康情報管理方法及びそのシステムを提供することである。
【課題を解決するための手段】
【０００７】
前記の課題を解決するためになされた、本発明に係る健康情報管理方法は、回線に接続された利用者に身近なデバイスであるＰＤＡ（Personal Digital Assistant）や携帯電話などの携帯端末を用いて入力した健康情報を、健康情報管理装置に蓄積し、この蓄積された健康情報から、利用者ごとの体調の変化の傾向を分析して、健康に関するルールを作成し、利用者が健康に関する情報を入力する度に、利用者の携帯端末に、この健康に関するルールを送信することを特徴としている。
【０００８】
本発明に係る健康情報管理方法及びそのシステムによると、利用者は携帯端末を用いて日常生活における健康情報の蓄積を手軽に行うことができ、蓄積された健康情報に応じて健康に関するルールが表示される。
【発明の効果】
【０００９】
本発明によれば、日常生活における健康に関するデータの蓄積を手軽に行うことができ、正確な健康管理が行えるとともに、入力された健康に関するデータに応じて健康に関するルールが表示されるため、利用者の病気の予防が図れる。
【発明を実施するための最良の形態】
【００１０】
以下、本発明の実施の形態を、図面を参照して詳細に説明する。なお、本実施の形態では、利用者が健康情報を管理するサービス運営組織と契約をして、携帯電話を利用して本発明に係る健康情報管理方法を利用することを想定しており、以下、健康情報を管理するサービス運営組織のことを健康情報管理センタと呼ぶ。また、以下で説明する図面において、同一の符号は、同一の部品・要素を表すものとする。また、本発明は本実施の形態に限定されるものではなく、本発明の範囲内において自由に変更して実施できることはいうまでもない。
【００１１】
初めに、本発明に係る健康情報管理システムについて説明する。図１は本実施の形態の健康情報管理システムの構成の例を表す図である。図１に示した健康情報管理システムは、健康情報を集計して統計処理を行い、その結果を利用者に提供する健康管理センタ１に設置された健康情報管理サーバ３と、利用者が使用する携帯端末である利用者携帯電話２と、回線であるインターネット４と、利用者携帯電話２とインターネット４を結ぶ携帯電話キャリア５から主に構成される。
【００１２】
次に本実施の形態の健康管理システムの各構成要素について詳しく説明する。請求項の健康情報管理装置に相当する健康情報管理サーバ３は、ＣＰＵ（Central Processing Unit）、ＲＡＭ（Random Access Memory）、ＲＯＭ（Read Only Memory）及びハードディスクドライブを含んで構成される。ここで、健康情報管理サーバ３の内部構成の例を図２に示したブロック図を用いて説明する（適宜、図１参照）。健康情報管理サーバ３は、利用者ごとの健康情報と、利用者が選択した健康情報の入力項目に関する情報と、統計処理によって導出された健康に関するルールの情報等が保持されている個人健康情報ＤＢ１０と、年代・性別ごとの健康情報の標準入力項目等が保持されているデフォルト項目情報ＤＢ１１と、健康情報管理サーバ３が作成する表示画面の雛形データと健康情報管理センタ１のホームページを構成しているＨＴＭＬ（Hyper Text Markup Language）ファイル等が保持されている画面マスタ情報ＤＢ１２と、健康情報管理サーバ３を統括して制御する情報処理部１３と、インターネット４を介して利用者携帯電話２と通信を行うインターフェイスである通信制御手段１７と、図示しないキーボード等のインターフェイスである入力手段１８とから主に構成される。なお、個人健康情報ＤＢ１０とデフォルト項目ＤＢ１１及び画面マスタＤＢ１２は、健康情報管理サーバ３のハードディスクドライブに構成されている。
【００１３】
ここで、情報処理部１３は、後記する統計手法により、利用者の健康情報の項目間のルールを導出したり、健康情報を集計したりする統計手段１４と、利用者携帯電話２に送信する各画面を作成する作成手段１５と、利用者が利用者携帯電話２から送信した健康情報等を個人健康情報ＤＢ１０に登録する登録手段１６を含んで構成されている。この情報処理部１３の各手段は健康情報管理サーバ３のハードディスクドライブに保持されたプログラムにより実現される。
【００１４】
請求項の携帯端末に相当する利用者携帯電話２は、健康情報管理センタ１のサービスを利用する利用者が使用する携帯電話であり、Ｗｅｂブラウザの機能と電子メールを送受信及び表示する機能を有している。利用者携帯電話２は、これらの機能を有するものであれば、メーカやキャリアの種別は問わない。また、利用者が契約している携帯電話キャリア５は、利用者携帯電話２とインターネット４を結ぶ役割を果たしている。また、インターネット４は、携帯電話キャリア５を介して利用者携帯電話２と健康情報管理サーバ３を結び、請求項の回線に相当している。
【００１５】
なお、本実施の形態において健康情報とは、利用者の体重、体温、体脂肪率、脈拍数、血圧等といった利用者の体を計測することで得られる生体情報と、利用者の１日の歩数、摂取カロリ、酒量、喫煙量、睡眠時間等といった利用者の生活パターンを反映した生活情報とを含んだ、複数の項目からなる情報のことを指している。
【００１６】
次に、本実施の形態で用いられる健康情報の統計手法について説明する。この統計手法は、時系列に収集される個人の健康情報に注目し、血圧等の生体情報の変化が、酒量、喫煙量等の生活情報との間に、どのような相関が見られるかを導出する。本実施の形態ではデータマイニングの手法である決定木又は相関ルールを用いて健康情報を統計処理する。
【００１７】
（統計手法：決定木）
決定木では、利用者が入力した健康情報をデータセットに変換し、このデータセットに基づいて木構造を作る。初めに、健康情報に対して、生活情報の各項目に相当する複数の属性と、例えば「最高血圧が上昇する」といった一つのクラスを指定する。決定木の生成方法は木のルートから順にデータセットを最適に分割するようにノードを生成しこの分割に従ってデータセットを分割する。そして、分割により生成されたデータセットに関して更に最適に分割するようにノード生成を繰り返すことで決定木が生成される。このようにして生成された決定木を用いることで、例えば「週に４日以上飲酒すると最高血圧が上昇する」といったルール文を作成して、個人健康情報ＤＢ１０に登録することになる。
【００１８】
（統計手法：相関ルール解析）
相関ルールでは、健康情報管理サーバ３の個人健康情報ＤＢ１０に登録された、利用者の健康情報の項目のデータから、１つ以上の生活情報の組合せを前提部、１つ以上の生体情報の組合せを結論部として、前提部の組合せを網羅的に調べ、項目間の有意な関連性をルールとして導出する。これによって、例えば「週に５００００歩以上歩いて、週に１回飲酒すると最高血圧が下降する傾向にある」といったルール文を作成して、個人健康情報ＤＢ１０に登録することになる。
【００１９】
以下で説明する実施例においては、前記説明した統計手法の決定木又は相関ルールのいずれかが用いられており、いずれの場合も、利用者の健康情報を統計的に処理して、例えば「週に３日以上飲酒すると、最高血圧が上昇する」といったルールのように、健康情報のうち、ある特定の生体情報（例では血圧）に対する生活情報の相関性を導出し、生体情報ごとに、このようなルールを作成して、個人健康情報ＤＢ１０に登録しておく。そして、このルールは、後記して詳しく説明する手順によって利用者の要求に応じて表示される。
【００２０】
なお、決定木又は相関ルールによる統計処理は、健康情報管理センタ１が定めた任意の時間（例えば、毎週日曜日の午後７時）にバッチ処理として行われ、導出された利用者の生体情報ごとの健康に関するルールは、個人健康情報ＤＢ１０に登録される。
【００２１】
また、本実施の形態では前記のような健康情報管理システムを用いることとしたが、本発明はこれに限定されず、例えば無線パケット通信網で健康情報管理サーバと通信可能なＰＤＡを用いて実施することも可能である。
【００２２】
[実施例]
次に前記した健康管理システムを用いた健康管理方法の実施例について、利用者が健康管理センタ１の各サービスを受ける過程を、個別にフロー図に示し、これらのフロー図を用いて詳しく説明する。
【００２３】
（メニュー選択）
初めに、利用者が健康情報管理センタ１の各サービスを選択するまでの過程を、例えば図３に示したフロー図を用いて説明する（適宜、図１、図２参照のこと）。まず、健康情報管理センタ１の利用者は、利用者携帯電話２から健康情報管理センタ１のＷｅｂサイトがある健康情報管理サーバ３にアクセスする（ステップＳ１００）。利用者携帯電話２からアクセス情報を受信した（ステップＳ１０１）健康情報管理サーバ３は、画面マスタ情報ＤＢに保持された健康情報管理センタ１のＷｅｂページのスタートページである認証画面を、利用者携帯電話２に送信する（ステップＳ１０２）。
【００２４】
そして、健康情報管理サーバ３から認証画面を受信した利用者携帯電話２は、そのディスプレイに認証画面を表示する（ステップＳ１０３）。ここで、利用者携帯電話２のディスプレイに表示される認証画面の例を図４の（ａ）に示す。図４の（ａ）に示された認証画面２０は、利用者のＩＤとパスワードを入力する入力欄と、認証画面２０下部には、例えば利用者携帯電話２のカーソルキーの左右にある機能キーに割り当てられた認証ボタン２２と初期登録ボタン２１とを含んで構成されている。ここで、利用者が既に健康情報管理センタ１と契約して、ＩＤとパスワードを持っている場合は、ＩＤとパスワードを入力する入力欄に、ＩＤとパスワードを入力して認証ボタン２２を割り当てられた左上部の機能キーを押下する。また、初めて健康情報管理センタ１を利用する場合は、初期登録ボタン２１を割り当られた右上部の機能キーを押下する。この操作によって認証もしくは初期登録を行う認証・登録情報が健康情報管理サーバ３に送信される（ステップＳ１０４）。
【００２５】
この認証・登録情報を受信した（ステップＳ１０５）健康情報管理サーバ３は、認証・登録情報の内容が初期登録の要求である場合は、符号Ａで示した後記して詳しく説明する個人情報登録の過程に進むことになる。また、認証・登録情報の内容がＩＤとパスワードである場合は、健康情報管理サーバ３の個人健康情報ＤＢ１０から、該当する個人情報を検索し（ステップＳ１０７）、利用者の認証を行う（ステップＳ１０８）。ここで認証がとれた場合には、健康情報管理サーバ３は、メニュー画面を作成し、利用者携帯電話２に送信する（ステップＳ１０９）。
【００２６】
そして、このメニュー画面を受信した利用者携帯電話２は、ディスプレイにメニュー画面を表示する（ステップＳ１１０）。ここで、利用者携帯電話２のディスプレイに表示されるメニュー画面の例を図４の（ｂ）に示す。図４の（ｂ）に示したメニュー画面２３は、利用者が利用したいメニューをラジオボタンで選択するメニュー選択部２４と、その下部に表示された利用者携帯電話２の上部左右の機能キーに割り当てられた選択決定ボタン２５と、健康情報管理センタ１のＷｅｂサイトへの接続を終了する終了ボタン２６とから構成される。利用者はメニュー選択部２４に表示されたメニューの中から、利用したいメニューを選択し、ラジオボタンをクリックする。そして、選択決定ボタン２５を割り当てられた利用者携帯電話２の左上部の機能キーを押下する。この操作により、メニュー選択情報が健康情報管理サーバ３に送信される（ステップＳ１１１）。
【００２７】
このメニュー選択情報を受信した（ステップＳ１１２）健康情報管理サーバ３は、メニュー選択情報の内容に従って、それぞれ後記して詳しく説明する、符号Ｂで示された健康情報の項目の登録等を変更する過程、もしくは符号Ｃで示された健康情報の各項目の情報を入力する過程、もしくは符号Ｄで示された蓄積された健康情報を検索して参照する過程のいずれかに進むことになる。
【００２８】
（初期登録）
次に、本実施例の健康情報管理システムをはじめて利用する利用者が、図４の（ａ）に示した認証画面２０において、初期登録ボタン２１を割り当てられた利用者携帯電話２の右上部の機能キーを押下する操作によって、図３のステップＳ１０６において符号Ａに進んだ場合の初期登録の過程の例を、図５に示したフロー図を参照して詳しく説明する（適宜、図1、図２参照のこと）。ここで利用者は、個人情報を健康情報管理センタ１に登録するとともに、管理させる健康情報の項目を決定し、各項目についての詳細な設定を行う。
【００２９】
初めに、初期登録を要求する情報を受信した健康情報管理サーバ３は、健康情報管理サーバ３の画面マスタ情報ＤＢ１１２に保持された、個人情報登録画面を利用者携帯電話２に送信する（ステップＳ２００）。この個人情報登録画面を受信した利用者携帯電話２は、ディスプレイに個人情報登録画面を表示する（ステップＳ２０１）。ここで、利用者携帯電話２のディスプレイに表示される個人情報登録画面の例を図６の（ａ）に示す。図６の（ａ）に示した個人情報登録画面３０は、名前、年齢、性別、住所、ＩＤ、パスワード及びメールアドレス等を含む個人情報を入力する入力部と、その下部に表示された利用者携帯電話２の左右の機能キーに割り当てられた、図４の（ａ）に示した認証画面２０に戻る時に利用される戻るボタン３１と、登録ボタン３２とを含んで構成される。
【００３０】
初期登録を行う利用者は、個人情報登録画面３０の入力部に個人情報を入力し、登録ボタン３２を割り当てられた利用者携帯電話２の右上の機能キーを押下する操作で、健康情報管理サーバ３に個人情報を送信することができる（ステップＳ２０２）。この個人情報を受信した健康情報管理サーバ３はこの個人情報を、個人健康情報ＤＢ１０に登録する（ステップＳ２０３）。次に、健康情報管理サーバ３は、登録された個人情報の例えば性別と年齢をキー情報として、デフォルト項目情報ＤＢ１１から、利用者の標準的な健康情報の入力項目を検索する（ステップＳ２０４）。そして健康情報管理サーバ３はこの検索された健康情報の入力項目と画面マスタＤＢ１２の情報を用いて、入力項目の一覧が表示された項目設定画面を作成し、利用者携帯電話２に送信する（ステップＳ２０５）。
【００３１】
そして、この項目設定画面を受信した利用者携帯電話２は、ディスプレイに項目設定画面を表示する（ステップＳ２０６）。ここで、利用者携帯電話２に表示される項目設定画面の例を図６の（ｂ）に示す。図６の（ｂ）に示した項目設定画面３３は、ステップＳ２０４で検索された、当該利用者の健康情報の標準的な入力項目が表示された項目表示部と、その下部の利用者携帯電話２の上部左右の機能キーに割り当てられた、前画面に戻る場合に使用される戻るボタン３４と次項ボタン３５とを含んで構成される。
【００３２】
利用者は、項目表示部に表示された標準的な入力項目を見て、不要であると判断した項目については、チェックボックスのチェックをはずして、次項ボタン３５を割り当てられた利用者携帯電話２の右上の機能キーを押下する。この操作により、利用者携帯電話２のディスプレイは、チェックボックスのチェックが入った項目の詳細な情報を設定する個別項目設定画面に切り替わる。ここで例えば健康情報の項目の１つである最高血圧の個別項目設定画面の例を図６の（ｃ）に示す。この図６の（ｃ）に示された個別情報設定画面３６は、健康情報の個別の項目の設定情報を入力する設定情報入力部と、その下部の利用者携帯電話２の上部左右の機能キーに割り当てられた、前画面に戻る場合に使用される戻るボタン３７と登録ボタン３８とを含んで構成される。利用者は、設定情報入力部に表示された入力項目を見て、入力頻度を設定し、後記して説明する入力を促す電子メールを受信するか、否かをチェックボックスで設定して、登録ボタン３８を割り当てられた利用者携帯電話２の右上部の機能キーを押下する。この操作によって健康情報の個別の項目設定情報が健康情報管理サーバ３に送信される（ステップＳ２０７）。なお、健康情報の個別の項目についての設定値は、健康情報管理サーバ３のデフォルト項目情報ＤＢ１１に保持された標準的な設定値が初期値として入力されている。
【００３３】
この項目設定情報を受信した健康情報管理サーバ３は、項目設定情報を個人健康情報ＤＢ１０に登録する（ステップＳ２０８）。そして、利用者が図６の（ｂ）の項目情報画面３３においてチェックボックスにチェックを入れた項目について個別の項目情報の設定をステップＳ２０９により繰り返す。
【００３４】
そして、健康情報の標準の項目の設定を終了すると、健康情報管理サーバ３は、デフォルト項目情報ＤＢ１１から、標準の項目以外の追加項目を検索し（ステップＳ２１０）、利用者が標準の項目以外の項目を追加するかを確認するために、追加項目の一覧が表示された項目設定画面を作成して、利用者携帯電話２に送信する（ステップＳ２１１）。この項目設定画面を受信した利用者携帯電話２は、ディスプレイに項目設定画面を表示する（ステップＳ２１２）。ここで、利用者携帯電話２のディスプレイに表示される項目設定画面の例を図６の（ｄ）に示す。図６の（ｄ）に示した追加項目画面３９は、追加項目の一覧が表示された追加項目表示部と、利用者携帯電話２の上部左右の機能キーに割り当てられる前画面に戻る場合に使用する戻るボタン４１と次項ボタン４２とを含んで構成される。
【００３５】
利用者は、追加項目表示部に表示された追加項目の中から追加したい項目のチェックボックスにチェックを入れて、次項ボタン４２を割り当てられた利用者携帯電話２の右上部の機能キーを押下する。この操作により、利用者携帯電話２のディスプレイは、チェックボックスのチェックが入った追加項目の詳細な情報を設定する個別項目設定画面に切り替わる。ここで例えば健康情報の追加項目の１つである酒量の個別項目設定画面の例を図７の（ａ）に示す。図７の（ａ）に示された個別項目設定画面４３は、健康情報の個別の項目の設定情報を入力する設定情報入力部と、その下部の利用者携帯電話２の上部左右の機能キーに割り当てられた、前画面に戻る場合に使用される戻るボタン４４と登録タン４５とを含んで構成される。この図７の（ａ）に示された個別項目設定画面４３では、図６の（ｃ）に示した個別情報設定画面３６と同様の操作で追加項目の項目設定情報の入力を行い、健康情報管理サーバ３に送信することができる（ステップＳ２１３）。なお、健康情報の個別の追加項目についての設定値も、健康情報管理サーバ３のデフォルト項目情報ＤＢ１１に保持された標準的な設定値が初期値として入力されている。
【００３６】
この項目設定情報を受信した健康情報管理サーバ３は、個人健康情報ＤＢに項目設定情報を登録する（ステップＳ２１４）。そして、利用者が図６の（ｄ）の追加項目画面３９においてチェックボックスにチェックを入れた追加項目について個別の項目情報の設定をステップＳ２１５により繰り返す。
【００３７】
そして、健康情報の追加項目の設定を終了すると、健康情報管理サーバ３は、以上の過程で設定された当該利用者の健康情報の項目の一覧が表示された終了確認画面を利用者携帯電話２に送信する（ステップＳ２１６）。この終了確認画面を受信した利用者携帯電話２は、ディスプレイに終了確認画面を表示する（ステップＳ２１７）。ここで、利用者携帯電話２のディスプレイに表示される終了確認画面の例を図７の（ｂ）に示す。図７の（ｂ）に示された終了確認画面４６は、利用者が設定した健康情報の項目の一覧が表示された項目表示部と、利用者携帯電話２の上部左右の機能キーに割り当てられた、図４の（ｂ）に示したメニュー画面２３にリンクされるメニューボタン４７と健康情報管理センタ１のＷｅｂサイトへの接続を終了する終了ボタン４８とを含んで構成される。利用者は、健康情報管理センタの他のサービスを利用したい場合は、メニューボタン４７を割り当てられた利用者携帯電話２の左上の機能キーを、健康情報管理センタ１のＷｅｂサイトへの接続を終了したい場合は、終了ボタン４８を割り当てられた利用者携帯電話２の右上の機能キーを、それぞれ押下する。この操作により利用者は入力した選択情報を、健康情報管理サーバ３に送信する（ステップＳ２１８）。
【００３８】
この選択情報を受信した（ステップＳ２１９）健康情報管理サーバ３は、選択情報に応じて終了処理か、メニュー画面に戻るかの判断を行い（ステップＳ２２０）、メニュー画面に戻る場合は、図３に示したフロー図のステップ１０９に戻って、利用者携帯電話２のディスプレイに図４の（ｂ）に示したメニュー画面２３を表示する（ステップＳ２２１）。以上の過程を経て、初期登録が完了する。
【００３９】
（登録項目の変更）
次に、本実施例の健康情報管理システムの利用者が、図４の（ｂ）に示したメニュー画面２３のメニュー選択部２４において、「登録項目変更」のラジオボタンにチェックを入れて、選択ボタン２５を割り当てられた利用者携帯電話２の左上部の機能キーを押下する操作によって、図３のステップＳ１１２において符号Ｂに進んだ場合の登録項目変更の過程の例を、図８に示したフロー図を参照して詳しく説明する（適宜、図1、図２参照のこと）。ここでは、既に初期登録を終えてＩＤとパスワードを持った利用者が、健康情報管理サーバ３の個人健康情報ＤＢ１０に登録された、当該利用者が設定した健康情報の項目を変更し、各項目についての設定情報の変更を行う。
【００４０】
初めに、登録された健康情報の入力項目の変更の要求を受けた健康情報管理サーバ３は、当該利用者の登録している健康情報の入力項目を検索する（ステップＳ３００）。そして、健康情報管理サーバ３は、検索された入力項目の一覧を含んだ項目設定画面を作成し、利用者携帯電話２に送信する（ステップＳ３０１）。この項目設定画面を受信した利用者携帯電話２はディスプレイに項目設定画面を表示する（ステップＳ３０２）。ここで、利用者携帯電話２のディスプレイに表示される項目設定画面の例を図９の（ａ）に示す。
【００４１】
図９の（ａ）に示された項目設定画面５０は、利用者の現在登録している健康情報の入力項目の一覧が表示された項目表示部と、利用者携帯電話２の上部左右の機能キーに割り当てられる前画面に戻る場合に使用する戻るボタン５１と次項ボタン５２を含んで構成される。利用者は、削除したい入力項目がある場合には、項目表示部の該当する入力項目のチェックボックスのチェックをはずして、次項ボタン５２を割り当てた利用者携帯電話２の右上の機能キーを押下する。この操作により、利用者携帯電話２のディスプレイは、チェックボックスのチェックが入った項目の詳細な情報を設定する個別項目設定画面に切り替わる。ここで例えば健康情報の項目の１つである体重の個別項目設定画面の例を図９の（ｂ）に示す。この図９の（ｂ）に示された個別情報設定画面５３は、健康情報の個別の項目の設定情報を入力する設定情報入力部と、その下部の利用者携帯電話２の上部左右の機能キーに割り当てられた、前画面に戻る場合に使用される戻るボタン５４と登録ボタン５５を含んで構成される。利用者は、設定情報入力部に表示された入力項目を見て、当該項目の設定を入力し、登録ボタン５５を割り当てられた利用者携帯電話２の右上の機能キーを押下する。この操作により、項目設定情報が入力され、健康情報管理サーバ３に送信される（ステップＳ３０３）。この項目設定情報を受信した健康情報管理サーバ３は、個人健康情報ＤＢ１０に項目情報を登録する（ステップＳ３０４）。そして、利用者が図９の（ａ）の項目情報画面５０においてチェックボックスにチェックを入れた項目について個別の項目情報の設定をステップＳ３０５により繰り返す。
【００４２】
そして、登録された健康情報の項目の設定を終了すると、健康情報管理サーバ３は、デフォルト項目情報ＤＢ１１から、登録された項目以外の追加項目を検索し（ステップＳ３０６）、利用者が登録した項目以外の項目を追加するかを確認するために、追加項目の一覧が表示された項目設定画面を作成して、利用者携帯電話２に送信する（ステップＳ３０７）。
【００４３】
この項目設定画面を受信した利用者携帯電話２は、ディスプレイに項目設定画面を表示する（ステップＳ３０８）。ここで、利用者携帯電話２のディスプレイに表示される項目設定画面の例を図９の（ｃ）に示す。図９の（ｃ）に示した項目設定画面５６は、追加項目の一覧が表示された追加項目表示部と、利用者携帯電話２の上部左右の機能キーに割り当てられる前画面に戻る場合に使用する戻るボタン５８と次項ボタン５９を含んで構成される。
【００４４】
利用者は、追加項目表示部に表示された追加項目の中から追加したい項目のチェックボックスにチェックを入れて、次項ボタン５９を割り当てられた利用者携帯電話２の右上部の機能キーを押下する。この操作により、利用者携帯電話２のディスプレイは、チェックボックスのチェックが入った追加項目の詳細な情報を設定する、個別項目設定画面に切り替わる。この図示しない個別項目設定画面は、図９の（ｂ）に示した個別項目設定画面５３と同じ構成・操作で項目設定情報を入力し、健康情報管理サーバ３に送信することができる（ステップＳ３０９）。なお、健康情報の追加項目についての項目設定情報の設定値は、健康情報管理サーバ３のデフォルト項目情報ＤＢ１１に保持された標準的な設定値が初期値として入力されている。
【００４５】
この項目設定情報を受信した健康情報管理サーバ３は、個人健康情報ＤＢに項目設定情報を登録する（ステップＳ３１０）。そして、利用者が図９の（ｃ）の項目設定画面５６においてチェックボックスにチェックを入れた追加項目について個別の項目情報の設定を、ステップＳ３１１により繰り返す。
【００４６】
そして、健康情報の追加項目の設定を終了すると、健康情報管理サーバ３は、以上の過程で設定された当該利用者の健康情報の項目の一覧が表示された終了確認画面を、利用者携帯電話２に送信する（ステップＳ３１２）。この終了確認画面を受信した利用者携帯電話２は、ディスプレイに終了確認画面を表示する（ステップＳ３１３）。ここで、利用者携帯電話２のディスプレイに表示される終了確認画面の例を図９の（ｄ）に示す。図９の（ｄ）に示された終了確認画面６０は、利用者が設定した健康情報の項目の一覧が表示された項目表示部と、利用者携帯電話２の上部左右の機能キーに割り当てられた、図４の（ｂ）に示したメニュー画面２３にリンクされるメニューボタン６１と健康情報管理センタ１のＷｅｂサイトへの接続を終了する終了ボタン６２とを含んで構成される。利用者は、健康情報管理センタの他のサービスを利用したい場合は、メニューボタン６１を割り当てられた利用者携帯電話２の左上の機能キーを、健康情報管理センタ１のＷｅｂサイトへの接続を終了したい場合は、終了ボタン６２を割り当てられた利用者携帯電話２の右上の機能キーを、それぞれ押下する。この操作により利用者は選択情報を入力し、健康情報管理サーバ３に送信する（ステップＳ３１４）。
【００４７】
この選択情報を受信した（ステップＳ３１５）健康情報管理サーバ３は、選択情報に応じて終了処理か、メニュー画面に戻るかの判断を行い（ステップＳ３１６）、メニュー画面に戻る場合は、図３に示したフロー図のステップ１０９に戻って、利用者携帯電話２のディスプレイに図４の（ｂ）に示したメニュー画面２３を表示する（ステップＳ３１７）。このように、初期登録の場合とほぼ同じ過程・操作を経て、登録されている健康情報の入力項目の変更を行うことができる。このように操作性を統一することで利用者の誤操作を防ぐことができる。
【００４８】
（項目情報の入力）
次に、本実施例の健康情報管理システムの利用者が、図４の（ｂ）に示したメニュー画面２３のメニュー選択部２４において「健康情報登録」のラジオボタンにチェックを入れて、選択ボタン２５を割り当てられた利用者携帯電話２の左上部の機能キーを押下する操作によって、図３のステップＳ１１２において符号Ｃに進んだ場合の項目情報入力の過程の例を、図１０に示したフロー図を参照して詳しく説明する（適宜、図1、図２参照のこと）。ここでは、既に初期登録を終えてＩＤとパスワードを持った利用者は、利用者が設定した健康情報の項目情報を入力する。
【００４９】
初めに、利用者から健康情報の項目情報の入力を要求された健康情報管理サーバ３は、個人健康情報ＤＢ１０から、この時点で利用者が入力すべき健康情報の項目を検索する（ステップＳ４００）。ここで、利用者が登録している健康情報の入力項目は、前記した初期登録や登録項目の変更の過程を経て、項目ごとに入力頻度が異なって設定されている。従って、利用者が健康情報管理センタ１のＷｅｂサイトにアクセスした時間によってステップＳ４００で検索される入力項目は異なってくる。
【００５０】
そして、健康情報管理サーバ３は、この検索された入力項目の一覧を含んだ項目入力画面を作成し利用者携帯電話２に送信する（ステップＳ４０１）。この項目入力画面を受信した利用者携帯電話２は、項目入力画面をディスプレイに表示する（ステップＳ４０２）。ここで、利用者携帯電話２のディスプレイに表示される項目入力画面の例を図１１の（ａ）に示す。図１１の（ａ）に示した項目入力画面６５は、利用者が今回入力する入力項目の一覧が表示された入力項目表示部と、利用者携帯電話２の上部左右の機能キーに割り当てられた、前画面に戻る場合に使用される戻るボタン６６と次項ボタン６７を含んで構成される。ここで利用者が、次項ボタン６７を割り当てられた利用者携帯電話２の右上の機能キーを押下すると、利用者携帯電話２のディスプレイの表示は、入力項目表示部に示された入力項目の個別入力画面に切り替わる。この個別入力画面の最高血圧の入力画面の例を図１１の（ｂ）に示す。図１１の（ｂ）に示された個別入力画面６８は、最高血圧の値を入力する数値入力部と、利用者携帯電話２の上部左右の機能キーに割り当てられた、前画面に戻る場合に使用される戻るボタン６９と登録ボタン７０を含んで構成される。利用者は、プルダウン形式で最高血圧の値を選択し、登録ボタン７０を割り当てられた利用者携帯電話２の右上の機能キーを押下する。この操作により、利用者携帯電話２に最高血圧の値である項目情報が入力され、健康情報管理サーバ３に項目情報が送信される（ステップＳ４０３）。
【００５１】
この項目情報を受信した健康情報管理サーバ３は、個人健康情報ＤＢ１０に項目情報を登録する（ステップＳ４０４）。そして、健康情報管理サーバ３は、今回入力した値が予め設定した上限値と比較して、超えている場合（又は予め設定した所定期間の項目値の変化量が基準値と比較して超えている場合）、警告文を作成する。また、この場合、同時に、警告文の項目に関する前記した統計処理により作成された健康に関するルールの中から、この警告に関連するものを検索する（ステップＳ４０５）。なお、今回入力した値が予め設定した上限値と比較して、超えていない場合は、当該入力項目に関連する健康に関するルールを、個人健康情報ＤＢ１０から検索する。また、ここで用いる上限値、所定期間及び基準値は、健康情報管理センタ１が任意に決めた数値及び期間である。
【００５２】
そして、健康情報管理サーバ３は、入力された項目について、個人健康情報ＤＢ１０に蓄積された情報を集計したグラフと、入力された項目値が基準値を超えている場合は、警告文と警告文に関連する健康に関するルールとを含んだ統計画面を作成し、利用者携帯電話２に送信する（ステップＳ４０６）。この統計画面を受信した利用者携帯電話２は、ディスプレイに統計画面を表示する（ステップＳ４０７）。ここで、利用者携帯電話２に表示される例えば最高血圧に関する統計画面の例を図１１の（ｃ）に示す。図１１の（ｃ）に示した統計画面７１は、例えば過去１０日間の最高血圧の変化を表すグラフ７２と、所定期間の最高血圧の変化量が基準値を超えていたために警告文と警告文に関連する健康に関するルールが表示されるルール表示部７３と、その下部には利用者携帯電話２の上部左右の機能キーに割り当てられた、前画面に戻る場合に使用される戻るボタン７４と次項ボタン７５とを含んで構成される。
【００５３】
ここで、利用者が利用者携帯電話２のカーソルキーを使って、例えば着信履歴を見る操作を行った場合には（例えばカーソルキーを一回左に押してその後、上に押すような操作）、統計画面７１のグラフ７２の集計期間のスケールが変化する。ここで、この操作によって集計期間のスケールが変化した統計画面の例を図１１の（ｄ）に示す。図１１の（ｄ）に示した統計画面７１’では、過去４０日間の最高血圧の変化を表すグラフ７２’が表示されている。このような操作により、利用者は、マクロな視点で体調の変化をつかむことができる。
【００５４】
そして、利用者が図１１の（ｃ）又は（ｄ）において、次項ボタン（７５、７５’）を割り当てられた利用者携帯電話２の右上の機能キーを押下する操作により、利用者携帯電話２に次項情報が入力され、健康情報管理サーバ３に送信される（ステップＳ４０８）。この次項情報を受信した（ステップＳ４０９）健康情報管理サーバ３は、今回入力する入力項目が全て入力されたか否かの判断を行うステップＳ４１０を行う。
【００５５】
全ての入力項目の入力が終了すると、健康情報管理サーバ３は今回入力した入力値の一覧が表示された終了確認画面を作成して、利用者携帯電話２に送信する（ステップＳ４１１）。この終了確認画面を受信した利用者携帯電話２は、ディスプレイに終了確認画面を表示する（ステップＳ４１２）。ここで利用者携帯電話２のディスプレイに表示される終了確認画面の例を図１２に示す。図１２に示した終了確認画面７６は、利用者が今回入力した健康情報の入力値の一覧が表示された入力値表示部と、利用者携帯電話２の上部左右の機能キーに割り当てられた、図４の（ｂ）に示したメニュー画面２３にリンクされるメニューボタン７７と健康情報管理センタ１のＷｅｂサイトへの接続を終了する終了ボタン７８を含んで構成される。利用者は、健康情報管理センタの他のサービスを利用したい場合は、メニューボタン７７を割り当てられた利用者携帯電話２の左上の機能キーを、健康情報管理センタ１のＷｅｂサイトへの接続を終了したい場合は、終了ボタン７８とを割り当てられた利用者携帯電話２の右上の機能キーを、それぞれ押下する。この操作により利用者は選択情報を入力し、健康情報管理サーバ３に送信する（ステップＳ４１３）。
【００５６】
この選択情報を受信した（ステップＳ４１４）健康情報管理サーバ３は、選択情報に応じて終了処理か、メニュー画面に戻るかの判断を行い（ステップＳ４１５）、メニュー画面に戻る場合は、図３に示したフロー図のステップＳ１０９に戻って、利用者携帯電話２のディスプレイに図４の（ｂ）に示したメニュー画面２３を表示する（ステップＳ４１６）。以上のような過程を経て、健康情報が入力される。
【００５７】
以上のように、健康情報を入力するたびに入力した項目の集計されたグラフと、体調変化に関する警告と、その警告に対処できる健康に関するルールとが表示されるため、利用者の入力の動機付けとなり、かつ、利用者は表示されたルールに従って病気の予防を図ることができる。
【００５８】
（統計情報の参照）
次に、本実施例の健康情報管理システムの利用者が、図４の（ｂ）に示したメニュー画面２３のメニュー選択部２４において「健康情報参照」のラジオボタンにチェックを入れて、選択ボタン２５を割り当てられた利用者携帯電話２の左上部の機能キーを押下する操作によって、図３のステップＳ１１２において符号Ｄに進んだ場合の項目情報入力の過程の例を、図１３に示したフロー図を参照して詳しく説明する（適宜、図1、図２参照のこと）。ここでは、既に初期登録を終えてＩＤとパスワードを持った利用者は、要求に応じて健康情報管理サーバ３に蓄積された健康情報の各項目の統計情報を参照することができる。
【００５９】
初めに、健康情報参照を要求された健康情報管理サーバ３は、利用者が参照したい健康情報を検索するために、参照可能な健康情報の項目の一覧が表示された検索参照画面を作成し、送信する（ステップＳ５００）。この検索参照画面を受信した利用者携帯電話２は、ディスプレイに検索参照画面を表示する（ステップＳ５０１）。ここで、利用者携帯電話２のディスプレイに表示される検索参照画面の例を図１４の（ａ）に示す。図１４の（ａ）に示された検索参照画面８０は、参照できる項目の一覧が表示された項目選択部と、その下部には利用者携帯電話２の上部左右の機能キーに割り当てられた、前画面に戻る場合に使用される戻るボタン８２と参照ボタン８３とを含んで構成される。なお、項目選択部に表示される健康情報の項目の一覧には、当該利用者が、入力を設定した項目が表示されている。また、参照したい項目を選択するラジオスイッチは排他的に選択され、常に全項目の中から１つの項目が選択されるようになっている。
【００６０】
利用者は、参照したい健康情報の項目のラジオスイッチにチェックを入れて、参照ボタン８３を割り当てられた、利用者携帯電話２の右上の機能キーを押下する。この操作により、利用者携帯電話２に参照請求情報が入力され、健康情報管理サーバ３に参照請求情報が送信される（ステップＳ５０２）。この参照請求情報を受信した健康情報管理サーバ３は、個人健康情報ＤＢ１０から、該当する健康情報の項目の情報を検索する（ステップＳ５０３）。
【００６１】
そして、健康情報管理サーバ３は、ステップＳ５０３によって検索された項目の値のうち、最後に入力された項目値から所定期間の変化量が基準値を超えている場合（又は最後に入力された項目値が予め設定した上限値と比較して超えている場合）、警告文を作成する。また、この場合、同時に警告文に関連する健康に関するルールを個人健康情報ＤＢ１０から検索する（ステップＳ５０４）。なお、最後に入力された項目値から所定期間の変化量が基準値を超えていない場合は、当該項目に関連する健康に関するルールを個人健康情報ＤＢ１０から検索する。
【００６２】
そして、健康情報管理サーバ３は、選択された項目について、個人健康情報ＤＢ１０に蓄積された情報を集計したグラフと、最後に入力された項目値から所定期間の変化量が基準値を超えている場合は警告文と、警告文に関連する健康に関するルール又は当該項目に関連する健康に関するルールとを含んだ統計画面を作成し、利用者携帯電話２に送信する（ステップＳ５０５）。この統計画面を受信した利用者携帯電話２は、ディスプレイに統計画面を表示する（ステップＳ５０６）。ここで、図１４の（ａ）の検索参照画面８０において、利用者が例えば「体重」の項目を選択した時に、利用者携帯電話２に表示される統計画面の例を図１４の（ｂ）に示す。図１４の（ｂ）に示した統計画面８４は、例えば過去１０日間の体重の変化を表すグラフ８５と、所定期間の体重の変化量が基準値を超えていないために、当該項目に関連する健康に関するルールのみが表示されたルール表示部８６と、その下部には利用者携帯電話２の上部左右の機能キーに割り当てられた、前画面に戻る場合に使用される戻るボタン８７と健康情報の検索・参照を終了する場合に押下する終了ボタン８８とを含んで構成される。
【００６３】
図１４の（ｂ）に示した統計画面８４が表示された状態で、利用者が利用者携帯電話２のカーソルキーを使って、例えば着信履歴を見る操作を行った場合には（例えばカーソルキーを一回左に押してその後、上に押すような操作）、図１１の（ｃ）に示した統計画面７１と同様に、グラフ８５の集計期間のスケールが変化する。
【００６４】
そして、利用者が統計画面８４において、戻るボタン８７を割り当てられた利用者携帯電話２の左上の機能キーを押下する操作又は検索・参照を終了する場合に終了ボタン８８が割り当てられた利用者携帯電話２の右上の機能キーを押下する操作により、利用者携帯電話２に選択情報が入力され、健康情報管理サーバ３に送信される（ステップＳ５０７）。この選択情報を受信した（ステップＳ５０８）健康情報管理サーバ３は、健康情報の参照が終了か否かの判断を行うステップＳ５０９を行う。
【００６５】
前記ステップＳ５０９において、「戻る」が選択されていた場合はステップＳ５００に戻り、「終了」が選択されていた場合は、健康情報管理サーバ３は、終了確認画面を利用者携帯電話に送信する（ステップＳ５１０）。この終了確認画面を受信した利用者携帯電話２は、ディスプレイに終了確認画面を表示する（ステップＳ５１１）。ここで利用者携帯電話２のディスプレイに表示される終了確認画面の例を図１４の（ｃ）に示す。図１４の（ｃ）に示した終了確認画面８９は、ガイダンスが表示されたガイダンス表示部と、利用者携帯電話２の上部左右の機能キーに割り当てられた、図４の（ｂ）に示したメニュー画面２３にリンクされるメニューボタン９０と健康情報管理センタ１のＷｅｂサイトへの接続を終了する終了ボタン９１とを含んで構成される。利用者は、健康情報管理センタの他のサービスを利用したい場合は、メニューボタン９０を割り当てられた利用者携帯電話２の左上の機能キーを、健康情報管理センタ１のＷｅｂサイトへの接続を終了したい場合は、終了ボタン９１を割り当てられた利用者携帯電話２の右上の機能キーを、それぞれ押下する。この操作により利用者は選択情報を入力し、健康情報管理サーバ３に送信する（ステップＳ５１２）。
【００６６】
この選択情報を受信した（ステップＳ５１３）健康情報管理サーバ３は、選択情報に応じて終了処理か、メニュー画面に戻るかの判断を行い（ステップＳ５１４）、メニュー画面に戻る場合は、図３に示したフロー図のステップ１０９に戻って、利用者携帯電話２のディスプレイに図４の（ｂ）に示したメニュー画面２３を表示する（ステップＳ５１５）。以上のような過程を経て、利用者は健康情報を参照できる。
【００６７】
（健康情報の入力を促す電子メールの送信）
次に、利用者が例えば図６の（ｃ）に示した健康情報の項目の設定の際に、健康情報の入力を促す電子メールの受信を希望した場合の電子メール受信の過程について図１５に示したフロー図を用いて詳しく説明する（適宜、図１、図２、参照のこと）。
【００６８】
利用者は、前記した初期登録又は登録項目変更の際に、図６の（ｃ）や図９（ｂ）等に示した項目設定画面において、健康情報の入力を促す電子メールの受信を希望する場合、「メールを送信」とかかれたラジオスイッチにチェックを入れる。この項目設定情報を個人健康情報ＤＢ１０に登録している健康情報管理サーバ３は、それぞれの項目の入力頻度の情報から、健康情報の入力を促す電子メールの送信スケジュールを作成し、この送信スケジュール情報を個健康人情報ＤＢ１０に登録しておく（ステップＳ６００）。
【００６９】
そして、健康情報管理サーバ３は、この送信スケジュールに応じて、相談者が健康情報を入力する時間になると、入力を促す電子メールを作成し、利用者携帯電話２に送信する（ステップＳ６０１）。この入力を促すメールを受信した利用者携帯電話２は、ディスプレイに入力を促す電子メールを表示する（ステップＳ６０２）。ここで、利用者携帯電話２のディスプレイに表示された入力を促す電子メールの例を図１６に示す。図１６に示した電子メール９５には、利用者がこの時点で入力をすべき健康情報の項目の一覧が表示されており、電子メール９５の最後には、例えば図４の（ｂ）のメニュー画面２３にリンクされた、健康情報管理センタ１のＵＲＬ（Uniform Resource Locator）９６が表示されている。
【００７０】
利用者は、入力項目を確認して例えば血圧値を計測し、健康情報管理センタ１のＵＲＬ９６をクリックして、健康情報管理センタ１のＷｅｂサイトにアクセスして健康情報を入力することになる。また、この入力を促す電子メールに記載されている健康情報の項目は、時間ごとに（例えば朝、昼、晩）利用者の設定に合わせて変更されて送信される。これによって、利用者の健康情報の入力忘れを防ぐことができる。
【００７１】
なお、本実施例では健康情報の入力を促す電子メールを受信した利用者は電子メールのリンク情報で健康情報管理サービスのＷｅｂサイトにアクセスすることとしたが、リンク情報によらず直接、健康情報管理サービスのＷｅｂサイトにアクセスすることも、もちろん可能である。また、Ｗｅｂサイトにアクセスして健康情報を入力する代わりに、送信された健康情報の入力を促す電子メールに返信して、返信される電子メールに入力する健康情報を入力して、健康情報管理サーバ３に健康情報を送信することも可能である。
【００７２】
以上説明した本実施の形態の健康情報管理システムによると、蓄積される健康情報が多いと、統計処理により健康情報の項目間の相関をより正確に反映することが可能となるため、長期にわたって健康管理システムを利用するほど利用者に特化した的確なアドバイスが受けられるようになり、利用者は生き物を育成するような感覚で健康情報を入力することができる。
【００７３】
また、本実施の形態のように、携帯電話を本発明の携帯端末として用いる場合には、携帯電話の小さなディスプレイ及び数字キーで健康情報を入力することを考えて、数値の入力や項目の選択等には、本実施例のように、誤入力を防ぐ目的で、プルダウンメニュー形式やラジオボタン形式等を用いることが望ましい。もちろん携帯電話等の数字キー等を用いて直接入力することも出来る。
【００７４】
また、利用者携帯電話２から健康情報を送信する際には、公知の暗号化技術や電子署名の技術を用いて送信することが望ましい。また、健康情報管理センタのＷｅｂサイトにアクセスする際に、パスワードの入力に換えて指紋や網膜等といった生体情報を認証に用いてもよい。
【００７５】
また、本実施の形態では、利用者携帯電話２に表示される画面は健康情報管理サーバ３で作成されることとしたが、健康情報管理サーバ３から利用者携帯電話２に表示画面を作成するプログラムを送り、利用者携帯電話２内で表示画面を作成することも可能である。このような構成にすると通信量の削減が期待できる。
【００７６】
また、本実施の形態では、利用者が携帯電話に自ら健康情報を入力することとしたが、携帯電話と通信できる計測機器（例えば通信機を有した歩数計）から直接、健康情報を携帯電話に入力することも可能である。
【図面の簡単な説明】
【００７７】
【図１】健康情報管理システムの構成図である。
【図２】健康情報管理サーバの構成を示すブロック図である。
【図３】健康管理サイトにアクセスしてからメニューを選択するまでの過程を示したフロー図である。
【図４】メニューを選択する際までの表示画面のうち、（ａ）ログイン画面と、（ｂ）メニュー画面とを表す図である。
【図５】初めて健康管理サイトを利用する際の登録過程を示したフロー図である。
【図６】初期登録を行う際の表示画面のうち、（ａ）個人情報を登録する画面と、（ｂ）標準項目を選択する画面と、（ｃ）個別の項目情報を登録する画面と、（ｄ）追加項目を選択する画面とを表す図である。
【図７】初期登録を行う際の表示画面のうち、（ａ）追加項目の個別の項目情報を登録する画面と、（ｂ）登録項目の一覧が表示された終了確認画面とを表す図である。
【図８】健康情報の登録項目を変更する過程を示したフロー図である。
【図９】健康情報の登録項目を変更する際の表示画面のうち、（ａ）登録されている項目を削除する画面と、（ｂ）個別の項目情報を登録する画面と、（ｃ）追加項目を選択する画面と、（ｄ）登録項目の一覧が表示された終了確認画面とを表す図である。
【図１０】健康情報を入力する過程を示したフロー図である。
【図１１】健康情報を入力する際の表示画面のうち、（ａ）入力項目の一覧画面と、（ｂ）最高血圧の入力画面と、（ｃ）最高血圧の統計画面と、（ｄ）集計期間を変えた最高血圧の統計画面とを表す図である。
【図１２】入力値の一覧が表示された終了確認画面を表す図である。
【図１３】蓄積された健康情報を参照する過程を示したフロー図である。
【図１４】健康情報を参照する際の表示画面のうち、（ａ）参照する項目を選択する画面と、（ｂ）体重の統計画面と、（ｃ）終了確認画面とを表す図である。
【図１５】健康情報の入力を促すメールを送信する過程を示したフロー図である。
【図１６】健康情報の入力を促すメールが表示された表示画面を示す図である。
【符号の説明】
【００７８】
１      健康情報管理センタ
２      利用者携帯電話
３      健康情報管理サーバ
４      インターネット
５      携帯電話キャリア
１０    個人健康情報ＤＢ
１１    デフォルト項目ＤＢ
１２    画面マスタ情報ＤＢ
１３    情報処理部
１４    統計手段
１５    作成手段
１６    登録手段
１７    通信制御手段
１８    入力手段
【図１】
2005045696.tif 000003
【図２】
2005045696.tif 000004
【図３】
2005045696.tif 000005
【図４】
2005045696.tif 000006
【図５】
2005045696.tif 000007
【図６】
2005045696.tif 000008
【図７】
2005045696.tif 000009
【図８】
2005045696.tif 000010
【図９】
2005045696.tif 000011
【図１０】
2005045696.tif 000012
【図１１】
2005045696.tif 000013
【図１２】
2005045696.tif 000014
【図１３】
2005045696.tif 000015
【図１４】
2005045696.tif 000016
【図１５】
2005045696.tif 000017
【図１６】
2005045696.tif 000018